(57)【要約】      （修正有）【課題】ライトマゼンタインクを使用して記録した記録密度が低い淡色領域における耐ガス性を向上させ、環境放置における退色バランスが改善されたインクジェットインク組成物およびインクセットの提供。【解決手段】一般式（１）で表される化合物である第１の染料と第２の染料と、を含み、１０００倍希釈における最大吸光度が０．１０以上０．８０以下であるインクジェットインク組成物、及びライトマゼンタインクとマゼンタインクを含むインクセット。2019163405.tif 000033【選択図】なし【特許請求の範囲】
【請求項１】
下記一般式（１）で表される化合物である第１の染料と、下記一般式（２）で表される化合物である第２の染料と、を含み、１０００倍希釈における最大吸光度が０．１０以上０．８０以下である、インクジェットインク組成物。
【化１】
2019163405.tif 000029
一般式（１）中、Ｒ１、Ｒ３、Ｒ４、Ｒ５、Ｒ６、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９及びＲ２０は各々独立に水素原子又は置換基を表し、Ｒ１０１及びＲ１０２は各々独立に置換若しくは無置換のアルキル基、置換若しくは無置換のアリール基、置換若しくは無置換のヘテロ環基、置換若しくは無置換のアルキルスルホニル基、置換若しくは無置換のアリールスルホニル基、置換若しくは無置換のアルコキシカルボニル基、置換若しくは無置換のアリールオキシカルボニル基、置換若しくは無置換のカルバモイル基、置換若しくは無置換のモノアルキルアミノカルボニル基、置換若しくは無置換のジアルキルアミノカルボニル基、置換若しくは無置換のモノアリールアミノカルボニル基、置換若しくは無置換のジアリールアミノカルボニル基、又は置換若しくは無置換のアルキルアリールアミノカルボニル基を表す。
【化２】
2019163405.tif 000030
一般式（２）中、ＡM１は、炭素数１もしくは２のアルキレン基、フェニレン基を含有する炭素数１もしくは２のアルキレン基又は下記一般式（３）で表される基を表し、ＸM１は、アミノ基、ヒドロキシ基、塩素原子、又はスルホ基もしくはカルボキシ基で置換されたフェノキシ基を表す。
【化３】
2019163405.tif 000031
一般式（３）中、ＲM１は、水素原子又はアルキル基を表す。
【請求項２】
前記第２の染料は、下記一般式（４）で表される化合物である、請求項１に記載のインクジェットインク組成物。
【化４】
2019163405.tif 000032
【請求項３】
前記一般式（１）で表される化合物である染料の含有量が、インク組成物の全質量に対して０．１質量％以上１．２質量％以下である、請求項１または請求項２に記載のインクジェットインク組成物。
【請求項４】
前記一般式（１）で表される化合物において、前記Ｒ１、Ｒ３、Ｒ５、Ｒ６、Ｒ８及びＲ１０が各々独立に炭素数１以上６以下のアルキル基を表す、請求項１ないし請求項３のいずれか１項に記載のインクジェットインク組成物。
【請求項５】
マゼンタインクと共に用いられるライトマゼンタインクである、請求項１ないし請求項４のいずれか１項に記載のインクジェットインク組成物。
【請求項６】
ライトマゼンタインクとマゼンタインクを含むインクセットであって、
前記ライトマゼンタインクが、請求項１ないし請求項５のいずれか一項に記載のインクジェットインク組成物である、インクセット。
【発明の詳細な説明】
【技術分野】
【０００１】
本発明は、インクジェットインク組成物およびインクセットに関する。
【背景技術】
【０００２】
インクジェット記録方法は、インクをプリントヘッドに供給し、インクの小滴をプリントヘッドから吐出させて紙等の記録媒体上に付着させることにより高精細な画像の記録が可能であり、各方面で急速な発展を遂げている。その中で、得られる画像の向上について、種々の検討がなされている。
【０００３】
例えば、特許文献１には、基本カラーであるシアン、マゼンタ、イエローインクに、ライトマゼンタやライトシアン、ライトブラック等の淡インク組成物（以下、「ライトインク」ともいう。）をインクセットに加えることによって、画像の耐ガス性や粒状性を向上させる技術が開示されている。
【先行技術文献】
【特許文献】
【０００４】
【特許文献１】特開２０１１−１９５７８３号公報
【発明の概要】
【発明が解決しようとする課題】
【０００５】
しかしながら、ライトインクは組成物中における染料含有量が少ないため、オゾンガスや光等で分解されやすく、耐候性が低くなる傾向にある。特に、ライトマゼンタインクを使用して記録した記録密度が低い淡色領域での退色が他の記録密度が高い領域よりも速いため、オゾンガスに曝露されるような環境放置における退色バランスが崩れやすいという課題がある。
【課題を解決するための手段】
【０００６】
［適用例１］
本発明に係るインクジェットインク組成物の一態様は、
下記一般式（１）で表される化合物である第１の染料と、下記一般式（２）で表される化合物である第２の染料と、を含み、１０００倍希釈における最大吸光度が０．１０以上０．８０以下である。
【化１】
2019163405.tif 000002
一般式（１）中、Ｒ１、Ｒ３、Ｒ４、Ｒ５、Ｒ６、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９及びＲ２０は各々独立に
水素原子又は置換基を表し、Ｒ１０１及びＲ１０２は各々独立に置換若しくは無置換のアルキル基、置換若しくは無置換のアリール基、置換若しくは無置換のヘテロ環基、置換若しくは無置換のアルキルスルホニル基、置換若しくは無置換のアリールスルホニル基、置換若しくは無置換のアルコキシカルボニル基、置換若しくは無置換のアリールオキシカルボニル基、置換若しくは無置換のカルバモイル基、置換若しくは無置換のモノアルキルアミノカルボニル基、置換若しくは無置換のジアルキルアミノカルボニル基、置換若しくは無置換のモノアリールアミノカルボニル基、置換若しくは無置換のジアリールアミノカルボニル基、又は置換若しくは無置換のアルキルアリールアミノカルボニル基を表す。
【化２】
2019163405.tif 000003
一般式（２）中、ＡM１は、炭素数１もしくは２のアルキレン基、フェニレン基を含有する炭素数１もしくは２のアルキレン基又は下記一般式（３）で表される基を表し、ＸM１は、アミノ基、ヒドロキシ基、塩素原子、又はスルホ基もしくはカルボキシ基で置換されたフェノキシ基を表す。
【化３】
2019163405.tif 000004
一般式（３）中、ＲM１は、水素原子又はアルキル基を表す。
【０００７】
［適用例２］
適用例１において、
前記第２の染料は、下記一般式（４）で表される化合物であることができる。
【化４】
2019163405.tif 000005
【０００８】
［適用例３］
適用例１または適用例２において、
前記一般式（１）で表される化合物である染料の含有量が、インク組成物の全質量に対して０．１質量％以上１．２質量％以下であることができる。
【０００９】
［適用例４］
適用例１ないし適用例３のいずれか１例において、
前記一般式（１）で表される化合物において、前記Ｒ１、Ｒ３、Ｒ５、Ｒ６、Ｒ８及びＲ１０が各々独立に炭素数１以上６以下のアルキル基を表すことができる。
【００１０】
［適用例５］
適用例１ないし適用例４のいずれか１例において、
マゼンタインクと共に用いられるライトマゼンタインクであることができる。
【００１１】
［適用例６］
本発明に係るインクセットの一態様は、
ライトマゼンタインクとマゼンタインクを含むインクセットであって、
前記ライトマゼンタインクが、適用例１ないし適用例５のいずれか１例に記載のインクジェットインク組成物である。
【発明を実施するための形態】
【００１２】
以下に本発明の好適な実施形態（以下、「本実施形態」という。）について説明する。以下に説明する実施形態は、本発明の一例を説明するものである。また、本発明は、以下の実施形態に限定されるものではなく、本発明の要旨を変更しない範囲において実施される各種の変形例も含む。なお、以下で説明される構成の全てが本発明の必須の構成であるとは限らない。
【００１３】
以下、本実施形態に係るインクジェットインク組成物およびインクセットについて詳細に説明する。
【００１４】
１．インクジェットインク組成物
本発明の一実施形態に係るインクジェットインク組成物は、一般式（１）で表される化合物である第１の染料と、一般式（２）で表される化合物である第２の染料と、を含み、１０００倍希釈における最大吸光度が０．１０以上０．８０以下であることを特徴とする。
【００１５】
以下、本実施形態に係るインクジェットインク組成物（以下、単に「インク」ともいう。）に含まれる成分、および含まれ得る成分について説明する。
【００１６】
なお、本実施形態に係るインクジェットインク組成物はマゼンタインクと共に用いられるライトマゼンタインクであり、この場合、マゼンタインクに含まれる染料と、ライトマゼンタインクに含まれる染料とは、同一であっても異なっていてもよい。本明細書において、マゼンタインクに含まれる染料と、ライトマゼンタインクに含まれる染料とが同一の場合は、染料の含有量が質量基準で少ない方がライトマゼンタインクとする。
【００１７】
１．１．第１の染料
本実施形態に係るインクジェットインク組成物は、下記一般式（１）で表される化合物である第１の染料を含む。なお、一般式（１）で表される染料は、塩を形成していてもよい。
【化５】
2019163405.tif 000006
一般式（１）中、Ｒ１、Ｒ３、Ｒ４、Ｒ５、Ｒ６、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９及びＲ２０は各々独立に水素原子又は置換基を表し、Ｒ１０１及びＲ１０２は各々独立に置換若しくは無置換のアルキル基、置換若しくは無置換のアリール基、置換若しくは無置換のヘテロ環基、置換若しくは無置換のアルキルスルホニル基、置換若しくは無置換のアリールスルホニル基、置換若しくは無置換のアルコキシカルボニル基、置換若しくは無置換のアリールオキシカルボニル基、置換若しくは無置換のカルバモイル基、置換若しくは無置換のモノアルキルアミノカルボニル基、置換若しくは無置換のジアルキルアミノカルボニル基、置換若しくは無置換のモノアリールアミノカルボニル基、置換若しくは無置換のジアリールアミノカルボニル基、又は置換若しくは無置換のアルキルアリールアミノカルボニル基を表す。
【００１８】
本実施形態に係るインクジェットインク組成物で用いられる第１の染料が上記一般式（１）で表される化合物であり、後述する第２の染料と共に含むことにより、記録密度が低い淡色領域における耐ガス性を向上させることができる。
【００１９】
以下、上記一般式（１）で表される化合物について説明する。なお、一般式（１）で表される化合物については、特開２０１６−４１８０１号公報の段落番号００１５−００８４の記載を引用している。
【００２０】
まず、一般式（１）で表される化合物で用いられる置換基の具体例を、置換基群Ａとして定義する。
【００２１】
＜置換基群Ａ＞
ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、イオン性親水性基が例として挙げられる。これらの置換基は更に置換されてもよく、更なる置換基としては、以上に説明した置換基群Ａから選択される基を挙げることができる。
【００２２】
ハロゲン原子としては、例えば、フッ素原子、塩素原子、臭素原子、又はヨウ素原子が挙げられる。
【００２３】
アルキル基としては、直鎖、分岐、環状の置換若しくは無置換のアルキル基が挙げられ、シクロアルキル基、ビシクロアルキル基、更に環構造が多いトリシクロ構造等も包含するものである。以下に説明する置換基の中のアルキル基（例えば、アルコキシ基、アルキルチオ基のアルキル基）もこのような概念のアルキル基を表す。
アルキル基としては、好ましくは、炭素数１〜３０のアルキル基、例えば、メチル基、エチル基、ｎ−プロピル基、ｉ−プロピル基、ｔ−ブチル基、ｎ−オクチル基、エイコシル基、２−クロロエチル基、２−シアノエチル基、２―エチルヘキシル基等が挙げられ、シクロアルキル基としては、好ましくは、炭素数３から３０の置換又は無置換のシクロアルキル基、例えば、シクロヘキシル基、シクロペンチル基、４−ｎ−ドデシルシクロヘキシル基等が挙げられ、ビシクロアルキル基としては、好ましくは、炭素数５〜３０の置換若しくは無置換のビシクロアルキル基、つまり、炭素数５〜３０のビシクロアルカンから水素原子を一個取り去った一価の基、例えば、ビシクロ［１，２，２］ヘプタン−２−イル基、ビシクロ［２，２，２］オクタン−３−イル基等が挙げられる。
【００２４】
アラルキル基としては、置換若しくは無置換のアラルキル基が挙げられ、置換若しくは無置換のアラルキル基としては、炭素原子数が７〜３０のアラルキル基が好ましい。例えばベンジル基及び２−フェネチル基を挙げられる。
【００２５】
アルケニル基としては、直鎖、分岐、環状の置換若しくは無置換のアルケニル基が挙げられ、シクロアルケニル基、ビシクロアルケニル基を包含する。
アルケニル基としては、好ましくは、炭素数２〜３０の置換又は無置換のアルケニル基、例えば、ビニル基、アリル基、プレニル基、ゲラニル基、オレイル基等が挙げられ、シクロアルケニル基としては、好ましくは、炭素数３〜３０の置換若しくは無置換のシクロアルケニル基、つまり、炭素数３〜３０のシクロアルケンの水素原子を一個取り去った一価の基、例えば、２−シクロペンテン−１−イル基、２−シクロヘキセン−１−イル基等が挙げられ、ビシクロアルケニル基としては、置換若しくは無置換のビシクロアルケニル基、好ましくは、炭素数５〜３０の置換若しくは無置換のビシクロアルケニル基、つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。
【００２６】
アルキニル基としては、好ましくは、炭素数２〜３０の置換又は無置換のアルキニル基、例えば、エチニル基、プロパルギル基、トリメチルシリルエチニル基等が挙げられる。
【００２７】
アリール基としては、好ましくは、炭素数６〜３０の置換若しくは無置換のアリール基、例えば、フェニル基、ｐ−トリル基、ナフチル基、ｍ−クロロフェニル基、ｏ−ヘキサデカノイルアミノフェニル基等が挙げられる。
【００２８】
ヘテロ環基としては、好ましくは、５又は６員の置換若しくは無置換の芳香族若しくは非芳香族のヘテロ環化合物から一個の水素原子を取り除いた一価の基であり、更に好ましくは、炭素数３〜３０の５又は６員の芳香族のヘテロ環基、例えば、２−フリル基、２−チエニル基、２−ピリミジニル基、２−ベンゾチアゾリル基等が挙げられる。非芳香族のヘテロ環基の例としては、モルホリニル基等が挙げられる。
【００２９】
アルコキシ基としては、好ましくは、炭素数１〜３０の置換若しくは無置換のアルコキシ基、例えば、メトキシ基、エトキシ基、イソプロポキシ基、ｔ−ブトキシ基、ｎ−オクチルオキシ基、２−メトキシエトキシ基等が挙げられる。
【００３０】
アリールオキシ基としては、好ましくは、炭素数６〜３０の置換若しくは無置換のアリールオキシ基、例えば、フェノキシ基、２−メチルフェノキシ基、４−ｔ−ブチルフェノキシ基、３−ニトロフェノキシ基、２−テトラデカノイルアミノフェノキシ基等が挙げられる。
【００３１】
シリルオキシ基としては、好ましくは、炭素数０〜２０の置換若しくは無置換のシリルオキシ基、例えば、トリメチルシリルオキシ基、ジフェニルメチルシリルオキシ基等が挙げられる。
【００３２】
ヘテロ環オキシ基としては、好ましくは、炭素数２〜３０の置換若しくは無置換のヘテロ環オキシ基、例えば、１−フェニルテトラゾール−５−オキシ基、２−テトラヒドロピラニルオキシ基等が挙げられる。
【００３３】
アシルオキシ基としては、好ましくは、ホルミルオキシ基、炭素数２〜３０の置換若しくは無置換のアルキルカルボニルオキシ基、炭素数６〜３０の置換若しくは無置換のアリールカルボニルオキシ基、例えば、アセチルオキシ基、ピバロイルオキシ基、ステアロイルオキシ基、ベンゾイルオキシ基、ｐ−メトキシフェニルカルボニルオキシ基等が挙げられる。
【００３４】
カルバモイルオキシ基としては、好ましくは、炭素数１〜３０の置換若しくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００３５】
アルコキシカルボニルオキシ基としては、好ましくは、炭素数２〜３０の置換若しくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。
【００３６】
アリールオキシカルボニルオキシ基としては、好ましくは、炭素数７〜３０の置換若しくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。
【００３７】
アミノ基としては、アルキルアミノ基、アリールアミノ基、ヘテロ環アミノ基を含み、好ましくは、アミノ基、炭素数１〜３０の置換若しくは無置換のアルキルアミノ基、炭素数６〜３０の置換若しくは無置換のアニリノ基、例えば、メチルアミノ基、ジメチルアミノ基、アニリノ基、Ｎ−メチル−アニリノ基、ジフェニルアミノ基、トリアジニルアミノ基等が挙げられる。
【００３８】
アシルアミノ基としては、好ましくは、ホルミルアミノ基、炭素数１〜３０の置換若しくは無置換のアルキルカルボニルアミノ基、炭素数６〜３０の置換若しくは無置換のアリールカルボニルアミノ基、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。
【００３９】
アミノカルボニルアミノ基としては、好ましくは、炭素数１〜３０の置換若しくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボ
ニルアミノ基等が挙げられる。
【００４０】
アルコキシカルボニルアミノ基としては、好ましくは、炭素数２〜３０の置換若しくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【００４１】
アリールオキシカルボニルアミノ基としては、好ましくは、炭素数７〜３０の置換若しくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基等が挙げられる。
【００４２】
スルファモイルアミノ基としては、好ましくは、炭素数０〜３０の置換若しくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。
【００４３】
アルキル又はアリールスルホニルアミノ基としては、好ましくは、炭素数１〜３０の置換若しくは無置換のアルキルスルホニルアミノ基、炭素数６〜３０の置換若しくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
アルキルチオ基としては、好ましくは、炭素数１〜３０の置換若しくは無置換のアルキルチオ基、例えば、メチルチオ基、エチルチオ基、ｎ−ヘキサデシルチオ基等が挙げられる。
【００４４】
アリールチオ基としては、好ましくは、炭素数６〜３０の置換若しくは無置換のアリールチオ基、例えば、フェニルチオ基、ｐ−クロロフェニルチオ基、ｍ−メトキシフェニルチオ基等が挙げられる。
【００４５】
ヘテロ環チオ基としては、好ましくは、炭素数２〜３０の置換又は無置換のヘテロ環チオ基、例えば、２−ベンゾチアゾリルチオ基、１−フェニルテトラゾール−５−イルチオ基等が挙げられる。
【００４６】
スルファモイル基としては、好ましくは、炭素数０〜３０の置換若しくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基等が挙げられる。
【００４７】
アルキル又はアリールスルフィニル基としては、好ましくは、炭素数１から３０の置換又は無置換のアルキルスルフィニル基、炭素数６〜３０の置換又は無置換のアリールスルフィニル基、例えば、メチルスルフィニル基、エチルスルフィニル基、フェニルスルフィニル基、ｐ−メチルフェニルスルフィニル基等が挙げられる。
【００４８】
アルキル又はアリールスルホニル基としては、好ましくは、炭素数１〜３０の置換又は無置換のアルキルスルホニル基、炭素数６〜３０の置換又は無置換のアリールスルホニル基、例えば、メチルスルホニル基、エチルスルホニル基、フェニルスルホニル基、ｐ−メチルフェニルスルホニル基等が挙げられる。
【００４９】
アシル基としては、好ましくは、ホルミル基、炭素数２〜３０の置換又は無置換のアル
キルカルボニル基、炭素数７〜３０の置換若しくは無置換のアリールカルボニル基、炭素数２〜３０の置換若しくは無置換の炭素原子でカルボニル基と結合しているヘテロ環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【００５０】
アリールオキシカルボニル基としては、好ましくは、炭素数７〜３０の置換若しくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。
【００５１】
アルコキシカルボニル基としては、好ましくは、炭素数２〜３０の置換若しくは無置換アルコキシカルボニル基、例えば、メトキシカルボニル基、エトキシカルボニル基、ｔ−ブトキシカルボニル基、ｎ−オクタデシルオキシカルボニル基等が挙げられる。
【００５２】
カルバモイル基としては、好ましくは、炭素数１〜３０の置換若しくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【００５３】
アリール又はヘテロ環アゾ基としては、好ましくは炭素数６〜３０の置換若しくは無置換のアリールアゾ基、炭素数３〜３０の置換若しくは無置換のヘテロ環アゾ基、例えば、フェニルアゾ基、ｐ−クロロフェニルアゾ基、５−エチルチオ−１，３，４−チアジアゾール−２−イルアゾ基等が挙げられる。
【００５４】
イミド基としては、好ましくは、Ｎ−スクシンイミド基、Ｎ−フタルイミド基等が挙げられる。
【００５５】
ホスフィノ基としては、好ましくは、炭素数０〜３０の置換若しくは無置換のホスフィノ基、例えば、ジメチルホスフィノ基、ジフェニルホスフィノ基、メチルフェノキシホスフィノ基等が挙げられる。
【００５６】
ホスフィニル基としては、好ましくは、炭素数０〜３０の置換若しくは無置換のホスフィニル基、例えば、ホスフィニル基、ジオクチルオキシホスフィニル基、ジエトキシホスフィニル基等が挙げられる。
【００５７】
ホスフィニルオキシ基としては、好ましくは、炭素数０〜３０の置換若しくは無置換のホスフィニルオキシ基、例えば、ジフェノキシホスフィニルオキシ基、ジオクチルオキシホスフィニルオキシ基等が挙げられる。
【００５８】
ホスフィニルアミノ基としては、好ましくは、炭素数０〜３０の置換若しくは無置換のホスフィニルアミノ基、例えば、ジメトキシホスフィニルアミノ基、ジメチルアミノホスフィニルアミノ基が挙げられる。
【００５９】
シリル基としては、好ましくは、炭素数０〜３０の置換若しくは無置換のシリル基、例えば、トリメチルシリル基、ｔ−ブチルジメチルシリル基、フェニルジメチルシリル基等が挙げられる。
【００６０】
イオン性親水性基としては、スルホ基、カルボキシル基、チオカルボキシル基、スルフィノ基、ホスホノ基、ジヒドロキシホスフィノ基、４級アンモニウム基等が挙げられる。
特に好ましくはスルホ基、カルボキシル基である。またカルボキシル基、ホスホノ基及びスルホ基は塩の状態であってもよく、塩を形成する対カチオンの例には、アンモニウムイオン、アルカリ金属イオン（例えば、リチウムイオン、ナトリウムイオン、カリウムイオン）及び有機カチオン（例えば、テトラメチルアンモニウムイオン、テトラメチルグアニジウムイオン、テトラメチルホスホニウム）が含まれ、リチウム塩、ナトリウム塩、カリウム塩、アンモニウム塩が好ましく、ナトリウム塩又はナトリウム塩を主成分とする混合塩が更に好ましく、ナトリウム塩が最も好ましい。
【００６１】
なお、本発明においては、化合物が塩である場合は、インク中では塩はイオンに解離して存在している。
【００６２】
＜一般式（１）で表される化合物＞
下記一般式（１）で表される化合物について説明する。
【化６】
2019163405.tif 000007
【００６３】
一般式（１）中、Ｒ１、Ｒ３、Ｒ４、Ｒ５、Ｒ６、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９及びＲ２０は各々独立に水素原子又は置換基を表し、Ｒ１０１及びＲ１０２は各々独立に置換若しくは無置換のアルキル基、置換若しくは無置換のアリール基、置換若しくは無置換のヘテロ環基、置換若しくは無置換のアルキルスルホニル基、置換若しくは無置換のアリールスルホニル基、置換若しくは無置換のアルコキシカルボニル基、置換若しくは無置換のアリールオキシカルボニル基、置換若しくは無置換のカルバモイル基、置換若しくは無置換のモノアルキルアミノカルボニル基、置換若しくは無置換のジアルキルアミノカルボニル基、置換若しくは無置換のモノアリールアミノカルボニル基、置換若しくは無置換のジアリールアミノカルボニル基、又は置換若しくは無置換のアルキルアリールアミノカルボニル基を表す。
【００６４】
一般式（１）で表される化合物は、特定の置換基を有するアミノ基を有する。作用機構は不明であるが、一般式（１）で表される化合物がこのような構造を有することによって高い彩度、優れた印画濃度、耐光性、及び耐ガス性を示すものと考えられる。
【００６５】
一般式（１）中、Ｒ１、Ｒ３、Ｒ４、Ｒ５、Ｒ６、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９及びＲ２０は各々独立に水素原子又は置換基を表す。Ｒ１、Ｒ３、Ｒ４、Ｒ５、Ｒ６、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９及びＲ２０が置換基で表される場合、置換基としては上記置換基群Ａから選ばれる置換基が挙げられる。
【００６６】
一般式（１）中、Ｒ１、Ｒ５、Ｒ６及びＲ１０は、原材料の入手性と合成の容易性の観点から、各々独立に水素原子、置換若しくは無置換のアルキル基、置換若しくは無置換の
アリール基、置換若しくは無置換のアルコキシ基、置換若しくは無置換のアリールオキシ基、カルボキシル基、又はハロゲン原子を表すことが好ましく、より好ましくは置換若しくは無置換のアルキル基、置換若しくは無置換のアリール基、置換若しくは無置換のアルコキシ基であり、特に好ましくは置換若しくは無置換のアルキル基である。アルキル基としては、炭素数１〜６のアルキル基が好ましく、炭素数１〜３のアルキル基がより好ましく、メチル基が更に好ましい。また、各基が置換基を有する場合の置換基としては上記置換基群Ａから選ばれる置換基が挙げられる。
【００６７】
一般式（１）中、Ｒ４及びＲ９は、原材料の入手性と合成の容易性、耐光性、耐ガス性、印画濃度、及び彩度の観点から、各々独立に水素原子、置換若しくは無置換のアルキル基、置換若しくは無置換のアリール基、置換若しくは無置換のアルコキシ基、置換若しくは無置換のアリールオキシ基、置換若しくは無置換のアミノ基、置換若しくは無置換のアシルアミノ基、置換若しくは無置換のアルコキシカルボニルアミノ基、置換若しくは無置換のアルキルスルホニルアミノ基、置換若しくは無置換のアリールスルホニルアミノ基、置換若しくは無置換のアルキルウレイド基、置換若しくは無置換のアリールウレイド基、スルホ基、カルボキシル基、又はハロゲン原子を表すことが好ましく、より好ましくは水素原子、置換若しくは無置換のアシルアミノ基、置換若しくは無置換のアルコキシカルボニルアミノ基、置換若しくは無置換のアルキルスルホニルアミノ基、置換若しくは無置換のアリールスルホニルアミノ基、置換若しくは無置換のアルキルウレイド基、置換若しくは無置換のアリールウレイド基、又はスルホ基であり、特に好ましくは水素原子又はスルホ基である。また、各基が置換基を有する場合の置換基としては上記置換基群Ａから選ばれる置換基が挙げられる。
【００６８】
一般式（１）中、Ｒ３及びＲ８は、原材料の入手性と合成の容易性の観点から、各々独立に水素原子、置換若しくは無置換のアルキル基、置換若しくは無置換のアリール基、置換若しくは無置換のアルコキシ基、置換若しくは無置換のアリールオキシ基、置換若しくは無置換のアミノ基、置換若しくは無置換のアシルアミノ基、置換若しくは無置換のアルコキシカルボニルアミノ基、置換若しくは無置換のアルキルスルホニルアミノ基、置換若しくは無置換のアリールスルホニルアミノ基、置換若しくは無置換のアルキルウレイド基、置換若しくは無置換のアリールウレイド基、スルホ基、カルボキシル基、又はハロゲン原子を表すことが好ましく、より好ましくは水素原子、置換若しくは無置換のアルキル基、又はスルホ基であり、特に好ましくは置換若しくは無置換のアルキル基である。アルキル基としては、炭素数１〜６のアルキル基が好ましく、炭素数１〜３のアルキル基がより好ましく、メチル基が更に好ましい。また、各基が置換基を有する場合の置換基としては上記置換基群Ａから選ばれる置換基が挙げられる。
【００６９】
一般式（１）中、Ｒ１１、Ｒ１４、Ｒ１３、Ｒ１６、Ｒ１７、Ｒ１８、Ｒ１９及びＲ２０は、原材料の入手性と合成の容易性の観点から、各々独立に水素原子、置換若しくは無置換のアルキル基、置換若しくは無置換のアリール基、置換若しくは無置換のアルコキシ基、置換若しくは無置換のアリールオキシ基、ヒドロキシ基、ハロゲン原子、又はスルホ基を表すことが好ましく、より好ましくは水素原子、ヒドロキシ基、ハロゲン原子、又はスルホ基であり、特に好ましくは水素原子である。また、各基が置換基を有する場合の置換基としては上記置換基群Ａから選ばれる置換基が挙げられる。
【００７０】
一般式（１）中、Ｒ１２及びＲ１５は、原材料の入手性と合成の容易性の観点から、各々独立に水素原子、置換若しくは無置換のアルキル基、置換若しくは無置換のアリール基、ハロゲン原子、又はスルホ基が好ましく、より好ましくは水素原子又はスルホ基である。また各基が置換基を有する場合の置換基としては上記置換基群Ａから選ばれる置換基が挙げられる。
【００７１】
また、溶解性の観点からは、一般式（１）中のＲ１、Ｒ３、Ｒ４、Ｒ５、Ｒ６、Ｒ８、Ｒ９、Ｒ１０、Ｒ１１、Ｒ１２、Ｒ１３、Ｒ１４、Ｒ１５、Ｒ１６、Ｒ１７、Ｒ１８、Ｒ１９及びＲ２０の少なくとも１つはカルボキシル基、スルホ基、又はホスホノ基等のイオン性親水性基を有することが好ましい。これらのイオン性親水性基の対カチオンとしては、プロトン、リチウムイオン、ナトリウムイオン、カリウムイオン等のアルカリ金属カチオン、アンモニウムイオン等が挙げられるが、染料粉末としての取り扱いの容易さの観点からアルカリ金属カチオンであることが好ましい。
【００７２】
一般式（１）中、Ｒ１０１及びＲ１０２は各々独立に置換若しくは無置換のアルキル基、置換若しくは無置換のアリール基、置換若しくは無置換のヘテロ環基、置換若しくは無置換のアルキルスルホニル基、置換若しくは無置換のアリールスルホニル基、置換若しくは無置換のアルコキシカルボニル基、置換若しくは無置換のアリールオキシカルボニル基、置換若しくは無置換のカルバモイル基、置換若しくは無置換のモノアルキルアミノカルボニル基、置換若しくは無置換のジアルキルアミノカルボニル基、置換若しくは無置換のモノアリールアミノカルボニル基、置換若しくは無置換のジアリールアミノカルボニル基、又は置換若しくは無置換のアルキルアリールアミノカルボニル基を表す。
Ｒ１０１及びＲ１０２が置換若しくは無置換のアルキル基を表す場合のアルキル基としては、炭素数１〜６のアルキル基が好ましく、炭素数１〜３のアルキル基がより好ましく、メチル基又はエチル基が更に好ましい。また、アルキル基が置換基を有する場合の置換基としては上記置換基群Ａから選ばれる置換基が挙げられ、アリール基が好ましく、フェニル基が特に好ましい。
Ｒ１０１及びＲ１０２が置換若しくは無置換のアリール基を表す場合のアリール基としては、炭素数６〜１４のアリール基が好ましく、炭素数６〜１０のアリール基がより好ましく、フェニル基が更に好ましい。また、アリール基が置換基を有する場合の置換基としては上記置換基群Ａから選ばれる置換基が挙げられる。
Ｒ１０１及びＲ１０２が置換若しくは無置換のヘテロ環基を表す場合のヘテロ環基としてはトリアジン基、チアゾリル基、ベンゾチアゾリル基、又はチアジアゾリル基が好ましい。また、ヘテロ環基が置換基を有する場合の置換基としては上記置換基群Ａから選ばれる置換基が挙げられ、置換若しくは無置換のアミノ基、置換若しくは無置換のスルファモイル基が好ましい。
Ｒ１０１及びＲ１０２が置換若しくは無置換のアルキルスルホニル基を表す場合のアルキルスルホニル基としては、炭素数１〜６のアルキルスルホニル基が好ましく、炭素数１〜３のアルキルスルホニル基がより好ましく、メチルスルホニル基が更に好ましい。また、アルキルスルホニル基が置換基を有する場合の置換基としては上記置換基群Ａから選ばれる置換基が挙げられる。
Ｒ１０１及びＲ１０２が置換若しくは無置換のアリールスルホニル基を表す場合のアリールスルホニル基としては、炭素数６〜１４のアリールスルホニル基が好ましく、炭素数６〜１０のアリールスルホニル基がより好ましく、フェニルスルホニル基が更に好ましい。また、アリールスルホニル基が置換基を有する場合の置換基としては上記置換基群Ａから選ばれる置換基が挙げられ、カルボキシル基が特に好ましい。
Ｒ１０１及びＲ１０２が置換若しくは無置換のアルコキシカルボニル基を表す場合のアルコキシカルボニル基としては、−ＣＯＯＲ２０１で表されることが好ましい。ここでＲ２０１は炭素数１〜６のアルキル基を表し、炭素数１〜４のアルキル基が好ましく、イソプロピル基がより好ましい。また、アルコキシカルボニル基が置換基を有する場合の置換基としては上記置換基群Ａから選ばれる置換基が挙げられる。
Ｒ１０１及びＲ１０２が置換若しくは無置換のアリールオキシカルボニル基を表す場合のアリールオキシカルボニル基としては、−ＣＯＯＲ２０２で表されることが好ましい。ここでＲ２０２は炭素数６〜１４のアリール基を表し、炭素数６〜１０のアリール基が好ましく、フェニル基がより好ましい。また、アリールオキシカルボニル基が置換基を有する場合の置換基としては上記置換基群Ａから選ばれる置換基が挙げられ、ニトロ基が特に
好ましい。
Ｒ１０１及びＲ１０２が置換若しくは無置換のモノアルキルアミノカルボニル基を表す場合のモノアルキルアミノカルボニル基としては、−ＣＯＮＨＲ２０３で表されることが好ましい。ここでＲ２０３は炭素数１〜１２のアルキル基を表し、炭素数１〜１０のアルキル基が好ましく、炭素数１〜６のアルキル基がより好ましく、メチル基、エチル基、イソプロピル基、ヘキシル基、２−エチルヘキシル基、ドデシル基、シクロヘキシル基が更に好ましく、イソプロピル基が特に好ましい。また、モノアルキルアミノカルボニル基が置換基を有する場合の置換基としては上記置換基群Ａから選ばれる置換基が挙げられ、フェニル基、カルボキシル基、置換若しくは無置換のアミノ基、ヒドロキシル基が特に好ましい。
Ｒ１０１及びＲ１０２が置換若しくは無置換のジアルキルアミノカルボニル基を表す場合のジアルキルアミノカルボニル基としては、−ＣＯＮＲ２０４Ｒ２０５で表されることが好ましい。ここでＲ２０４及びＲ２０５は各々独立に炭素数１〜１０のアルキル基を表し、炭素数１〜６のアルキル基が好ましく、メチル基、イソプロピル基がより好ましい。
また、ジアルキルアミノカルボニル基が置換基を有する場合の置換基としては上記置換基群Ａから選ばれる置換基が挙げられ、カルボキシル基、好ましくは炭素数２〜６のアルキルオキシカルボニル基であり、より好ましくはエチルオキシカルボニル基等のアルキルオキシカルボニル基が特に好ましい。
Ｒ１０１及びＲ１０２が置換若しくは無置換のモノアリールアミノカルボニル基を表す場合のモノアリールアミノカルボニル基としては、−ＣＯＮＨＲ２０６で表されることが好ましい。ここでＲ２０６は炭素数６〜１４のアリール基を表し、炭素数６〜１２のアリール基が好ましく、炭素数６〜１０のアリール基がより好ましい。具体的には、フェニル基、ビフェニル基、ナフチル基が好ましく、フェニル基がより好ましい。また、モノアリールアミノカルボニル基が置換基を有する場合の置換基としては上記置換基群Ａから選ばれる置換基が挙げられ、カルボキシル基、ヒドロキシル基、ホスホノ基、好ましくは炭素数１〜６のアルコキシ基であり、より好ましくはシクロヘキシルオキシ基等のアルコキシ基が特に好ましい。
Ｒ１０１及びＲ１０２が置換若しくは無置換のジアリールアミノカルボニル基を表す場合のジアリールアミノカルボニル基としては、−ＣＯＮＲ２０７Ｒ２０８で表されることが好ましい。ここでＲ２０７及びＲ２０８は各々独立に炭素数６〜１４のアリール基を表し、炭素数６〜１０のアリール基が好ましく、フェニル基がより好ましい。また、ジアリールアミノカルボニル基が置換基を有する場合の置換基としては上記置換基群Ａから選ばれる置換基が挙げられる。
【００７３】
Ｒ１０１及びＲ１０２は、彩度、耐光性及び耐ガス性の観点から、好ましくは置換若しくは無置換のアルキルスルホニル基、置換若しくは無置換のアリールスルホニル基、置換若しくは無置換のアルコキシカルボニル基、置換若しくは無置換のアリールオキシカルボニル基、置換若しくは無置換のカルバモイル基、置換若しくは無置換のモノアルキルアミノカルボニル基、置換若しくは無置換のジアルキルアミノカルボニル基、置換若しくは無置換のモノアリールアミノカルボニル基、又は置換若しくは無置換のジアリールアミノカルボニル基であり、より好ましくは置換若しくは無置換のアルキルスルホニル基、置換若しくは無置換のアリールスルホニル基、置換若しくは無置換のモノアルキルアミノカルボニル基、置換若しくは無置換のジアルキルアミノカルボニル基、置換若しくは無置換のモノアリールアミノカルボニル基、又は置換若しくは無置換のジアリールアミノカルボニル基であり、特に好ましくは置換若しくは無置換のモノアルキルアミノカルボニル基、置換若しくは無置換のジアルキルアミノカルボニル基、置換若しくは無置換のモノアリールアミノカルボニル基、又は置換若しくは無置換のジアリールアミノカルボニル基である。
【００７４】
以下に一般式（１）で表される化合物の具体例を挙げるが、これらに限定されるわけではない。下記具体的化合物の構造式中、Ｍｅはメチル基を表し、Ｅｔはエチル基を表し、
ｉ−Ｐｒはイソプロピル基を表し、ｎ−Ｂｕはｎ−ブチル基を表す。また、Ｒ及びＭにおける比はモル比である。
【００７５】
【化７】
2019163405.tif 000008
【００７６】
【化８】
2019163405.tif 000009
【００７７】
【化９】
2019163405.tif 000010
【００７８】
【化１０】
2019163405.tif 000011
【００７９】
【化１１】
2019163405.tif 000012
【００８０】
【化１２】
2019163405.tif 000013
【００８１】
【化１３】
2019163405.tif 000014
【００８２】
【化１４】
2019163405.tif 000015
【００８３】
【化１５】
2019163405.tif 000016
【００８４】
【化１６】
2019163405.tif 000017
【００８５】
【化１７】
2019163405.tif 000018
【００８６】
【化１８】
2019163405.tif 000019
【００８７】
【化１９】
2019163405.tif 000020
【００８８】
【化２０】
2019163405.tif 000021
【００８９】
上記一般式（１）で表される化合物である第１の染料は、特に明度が高い波長域において、彩度が高く発色性に優れ、さらに、従来の染料に比べて、発色の低下が抑制される傾向にあり、耐ガス性に優れる傾向がある。一方、第１の染料は、オゾンガス等のガスに曝露されると、低濃度から退色する傾向がある。そこで、第１の染料を、後述する低濃度で退色しにくい第２の染料と組み合わせて用いることによって、低濃度であっても耐ガス性だけでなく、さらには発色性と粒状性に優れた画像が得られるインクジェットインク組成物を提供することができる。つまり、本実施形態に係るインクジェットインク組成物を用いて記録される画像は、第１の染料と第２の染料との相補的な作用よって、従来の低濃度から退色する染料インクと比較して、耐ガス性寿命が高いライトインクが得られ、オゾンガス等のガスに曝露されるような環境放置における退色バランスを改善することができる。さらには、発色性および粒状性に優れるものとなる。
【００９０】
上記一般式（１）で表される化合物において、Ｒ１、Ｒ３、Ｒ５、Ｒ６、Ｒ８及びＲ１０が各々独立に炭素数１〜６のアルキル基であることが好ましい。この場合には、染料濃度が低いライトマゼンタインクとして用いた場合においても、耐ガス性に優れ、さらには発色性と粒状性に優れた画像が得られるインクジェットインク組成物となる。
【００９１】
本実施形態に係るインクジェットインク組成物において、第１の染料の含有量は、インクジェットインク組成物の１０００倍希釈における最大吸光度が０．１０以上０．８０以下となるように含まれていれば特に限定されない。例えば、第１の染料の含有量は、インクジェットインク組成物の全質量に対して、０．１質量％以上であることが好ましく、０．２質量％以上であることがより好ましく、０．４質量％以上であることがさらに好ましい。また、本実施形態に係るインク組成物において、第１の染料の含有量は、インク組成物の全質量に対して、２．０質量％以下であることが好ましく、１．２質量％以下であることがより好ましく、１．０質量％以下であることがさらに好ましい。
【００９２】
第１の染料の含有量が上記範囲内であることにより、本実施形態に係るインクジェットインク組成物をマゼンタインクと共に用いられるライトマゼンタインクとして使用した場合において、耐ガス性に優れた画像が得られるインク組成物となり、記録密度が低い淡色領域での退色が抑制される。また、後述する第２の染料と組み合わせて用いることによって、記録密度が低い淡色領域における耐ガス性を向上させ、環境放置における退色バランスを改善することができる。
【００９３】
１．２．第２の染料
本実施形態に係るインクジェットインク組成物は、染料として、下記一般式（２）で表される化合物である第２の染料を含む。なお、一般式（２）で表される染料は、塩を形成していてもよい。
【化２１】
2019163405.tif 000022
一般式（２）中、ＡＭ１は、炭素数１もしくは２のアルキレン基、フェニレン基を含有する炭素数１もしくは２のアルキレン基又は下記一般式（３）で表される基を表し、ＸＭ１は、アミノ基、ヒドロキシ基、塩素原子、又はスルホ基もしくはカルボキシ基で置換されたフェノキシ基を表す。
【化２２】
2019163405.tif 000023
一般式（３）中、ＲＭ１は、水素原子又はアルキル基を表す。
【００９４】
上記一般式（２）中、ＡＭ１は、炭素数１又は２のアルキレン基が好ましく、炭素数２のアルキレン基であることがより好ましい。
【００９５】
一般式（２）中、ＸＭ１は、アミノ基、ヒドロキシ基、塩素原子、又はスルホ基もしくはカルボキシ基で置換されたフェノキシ基を表す。これらの中でもスルホ基又はカルボキ
シ基で置換されたフェノキシ基が好ましく、カルボキシ基で置換されたフェノキシ基がより好ましい。カルボキシ基で置換されたフェノキシ基は、良好な耐ガス性の改善効果を備え、２つのカルボキシ基で置換されたフェノキシ基は、より良好な耐ガス性を有しているため、特に好ましい。
【００９６】
一般式（２）中、スルホ基又はカルボキシ基で置換されたフェノキシ基の具体例としては、４−スルホフェノキシ、２，４−ジスルホフェノキシ、４−カルボキシフェノキシ、３，５−ジカルボキシフェノキシであり、より好ましくは、４−カルボキシフェノキシ、３，５−ジカルボキシフェノキシであり、さらに好ましくは３，５−ジカルボキシフェノキシである。
【００９７】
一般式（２）で表される化合物の塩としては、アンモニウム塩又はアルカリ金属塩が挙げられる。
【００９８】
上記一般式（２）で表される化合物である第２の染料は、発色性や耐ガス性は第１の染料よりも劣るものの、粒状性に優れた性質を有する。一方で、第２の染料は、オゾンガス等のガスに曝露した際に、高濃度から退色する傾向がある。そこで、第２の染料を、上記の第１の染料と組み合わせて用いることによって、退色する際には全濃度で同時に退色が起こるため、画像全体の退色のバランスが取れる。したがって、両染料の相補的な作用により、従来の低濃度から退色する染料インクと比較して、耐ガス性寿命が高いライトインクが得られる。さらには、発色性および粒状性に優れるものとなる。
【００９９】
本実施形態に係るインクジェットインク組成物において、第２の染料は、下記一般式（４）で表される化合物であることが好ましい。
【化２３】
2019163405.tif 000024
【０１００】
第２の染料が上記一般式（４）で表される化合物の場合には、低濃度で用いた場合においても、さらに耐ガス性に優れるインクとなる。
【０１０１】
本実施形態に係るインクジェットインク組成物において、第２の染料の含有量は、インクジェットインク組成物の１０００倍希釈における最大吸光度が０．１０以上０．８０以下となるように含まれていれば特に限定されない。第２の染料の含有量は、例えば、インクジェットインク組成物の全質量に対して、０．１質量％以上であることが好ましく、０．２質量％以上であることがより好ましく、０．４質量％以上であることがさらに好ましい。また、本実施形態に係るインク組成物において、第２の染料の含有量は、インク組成物の全質量に対して、２．０質量％以下であることが好ましく、１．２質量％以下である
ことがより好ましく、１．０質量％以下であることがさらに好ましい。
【０１０２】
第２の染料の含有量が上記範囲内であることにより、本実施形態に係るインクジェットインク組成物をライトインクとして使用した場合において、記録密度が低い淡色領域での退色が抑制される。また、前述の第１の染料と共に用いることにより、記録密度が低い淡色領域における耐ガス性を向上させ、環境放置における退色バランスを改善することができる。
【０１０３】
１．３．水溶性有機溶剤
本実施形態に係るインクジェットインク組成物は、水溶性有機溶剤を含んでもよい。水溶性有機溶剤としては、特に限定されないが、揮発性の水溶性有機溶剤が好ましく用いられる。
【０１０４】
水溶性有機溶剤としては、例えば、アルキルベタイン、グリセリン、エチレングリコール、ジエチレングリコール、トリエチレングリコール、プロピレングリコール、ジプロピレングリコール、１，３−プロパンジオール、１，２−ブタンジオール、１，２−ペンタンジオール、１，２−ヘキサンジオール、１，４−ブタンジオール、１，５−ペンタンジオール、１，６−へキサンジオール、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル、ジエチレングリコールジメチルエーテル、ジエチレングリコールジエチルエーテル、ジエチレングリコールジブチルエーテル、ジエチレングリコールエチルメチルエーテル、ジエチレングリコールブチルメチルエーテル、トリエチレングリコールジメチルエーテル、テトラエチレングリコールジメチルエーテル、ジプロピレングリコールジメチルエーテル、ジプロピレングリコールジエチルエーテル、トリプロピレングリコールジメチルエーテル、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノール等のアルコール類又はグリコール類、Ｎ，Ｎ−ジメチルホルムアミド、Ｎ，Ｎ−ジメチルアセトアミド、２−ピロリドン、Ｎ−メチル２−ピロリドン、２−オキサゾリドン、１，３−ジメチル２−イミダゾリジノン、ジメチルスルホキシド、スルホラン、及び１，１，３，３−テトラメチル尿素が挙げられる。
【０１０５】
上記の水溶性有機溶剤は、１種単独で用いてもよく、２種以上を組み合わせて用いてもよい。水溶性有機溶剤の含有量は特に制限されず、必要に応じて適宜決定することができる。例えば、記録媒体へのインクの浸透性、保湿性、吐出安定性を優れたものとする場合には、アルキルベタイン、グリセリン、トリエチレングリコール、トリエチレングリコールモノブチルエーテル、トリエタノールアミンを用いることが好ましい。
【０１０６】
有機溶剤の添加量は、インクの総量に対して、５質量％以上２５質量％以下であることが好ましく、７．５質量％以上２２質量％以下であることがより好ましく、１０質量％以上２０質量％以下であることがさらに好ましい。
【０１０７】
上記の中でも、水溶性有機溶剤として、トリエチレングリコールモノブチルエーテルを含むことが好ましく、トリエチレングリコールモノブチルエーテルの含有量が、２．０質量％以上１５質量％以下であることが好ましく、２．５質量％以上１２．５質量％以下であることがより好ましく、３．０質量％以上１０質量％以下であることがさらに好ましい。トリエチレングリコールモノブチルエーテルの添加量が上記範囲内であることにより、吐出安定性が向上する。
【０１０８】
１．４．界面活性剤
本実施形態に係るインクジェットインク組成物は、界面活性剤を含むことが好ましい。本実施形態に係るインクジェットインク組成物が界面活性剤を含むことにより、インクの動的表面張力や濡れ性を調整し、吐出安定性を向上させることができる。
【０１０９】
界面活性剤としては、特に限定されないが、インクの動的表面張力や濡れ性を調整し、吐出安定性を向上させる点で、アセチレングリコール系界面活性剤、フッ素系界面活性剤、およびシリコーン系界面活性剤が挙げられる。
【０１１０】
アセチレングリコール系界面活性剤としては、特に限定されないが、ＨＬＢ値が４以下のアセチレングリコール系界面活性剤、主鎖の炭素数が１２以上であるアセチレングリコールのアルキレンオキサイド付加物、主鎖の炭素数が１０以上であるアセチレングリコール等のアセチレングリコール系界面活性剤を用いることが好ましい。ここで、界面活性剤のＨＬＢ（Ｈｙｄｒｏｐｈｉｌｅ−Ｌｉｐｏｐｈｉｌｅ  Ｂａｌａｎｃｅ）値は、グリフィン法により算出される値である。具体的には、下記式（Ｈ）にしたがって界面活性剤のＨＬＢ値を算出することができる。
ＨＬＢ値＝２０×（親水基の質量％）      ・・・（Ｈ）
【０１１１】
アセチレングリコール系界面活性剤としては、例えば、２，４，７，９−テトラメチル−５−デシン−４，７−ジオール及び２，４，７，９−テトラメチル−５−デシン−４，７−ジオールのアルキレンオキサイド付加物、２，４−ジメチル−５−デシン−４−オール及び２，４−ジメチル−５−デシン−４−オールのアルキレンオキサイド付加物、２，５，８，１１−テトラメチル−６−ドデシン−５，８−ジオールのエトキシル化物及び５，８−ジメチル−６−ドデシン−５，８−ジオールのエトキシル化物が挙げられる。上記アセチレングリコールのアルキレンオキサイド付加物の中でもアセチレングリコールのエチレンオキサイド付加物及びアセチレングリコールのプロピレンオキサイド付加物が好ましく、アセチレングリコールのエチレンオキサイド付加物がより好ましい。
【０１１２】
アセチレングリコール系界面活性剤の市販品としては、特に限定されないが、例えば、オルフィン１０４シリーズやオルフィンＥ１０１０のＥシリーズ（以上）、オルフィンＥＸＰ４３００（炭素数１２−エチレンオキサイド付加物）、サーフィノール６１、サーフィノール４６５、サーフィノール１０４Ｓ（ＨＬＢ４）、サーフィノール１０４ＰＧ５０（ＨＬＢ４、２，４，７，９−テトラメチル−５−デシン−４，７−ジオール）、サーフィノール４２０（ＨＬＢ４）、サーフィノール８２（ＨＬＢ４）、サーフィノールＤＦ１１０Ｄ（ＨＬＢ３、２，５，８，１１−テトラメチル−６−ドデシン−５，８−ジオール）、サーフィノールＭＤ−２０（ＨＬＢ４）等（商品名、エアープロダクツジャパン株式会社製）が挙げられる。これらの界面活性剤は、１種単独で用いても、２種以上を併用してもよい。
【０１１３】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品
としては、特に限定されないが、例えば、Ｓ−１４４、Ｓ−１４５（商品名、旭硝子株式会社製）；ＦＣ−１７０Ｃ、ＦＣ−４３０、フロラード−ＦＣ４４３０（商品名、住友スリーエム株式会社製）；ＦＳＯ、ＦＳＯ−１００、ＦＳＮ、ＦＳＮ−１００、ＦＳ−３００（商品名、Ｄｕｐｏｎｔ社製）；ＦＴ−２５０、２５１（商品名、株式会社ネオス製）などが挙げられる。フッ素系界面活性剤は、１種単独で使用してもよいし、２種以上を併用してもよい。
【０１１４】
シリコーン系界面活性剤としては、ポリシロキサン系化合物、ポリエーテル変性オルガノシロキサン等が挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（商品名、信越化学株式会社製）等が挙げられる。
【０１１５】
界面活性剤の含有量は、インク組成物の全質量に対し、０．１質量％以上１．５質量％以下であることが好ましく、０．２質量％以上１．２質量％以下であることがより好ましく、０．３質量％以上１．０質量％以下であることがさらに好ましい。界面活性剤の含有量が上記範囲内であることにより、吐出安定性がより向上する。
【０１１６】
１．５．水
本実施形態に係るインクジェットインク組成物は、水をさらに含んでもよい。
【０１１７】
水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、インクを長期保存する場合にカビやバクテリアの発生を防止することができる。これにより貯蔵安定性がより向上する。
【０１１８】
水の含有量は、インクジェットインク組成物の全質量に対して、４０質量％以上であることが好ましく、５０質量％以上であることがより好ましく、６０質量％以上であることがさらに好ましい。水の含有量が前記範囲にある場合には、さらに吐出特性と画質が向上する。
【０１１９】
１．６．ｐＨ調整剤
本実施形態に係るインクジェットインク組成物は、ｐＨ調整剤を含んでもよい。ｐＨ調整剤は、インクのｐＨ値の調整を容易にすることができる。ｐＨ調整剤としては、特に限定されないが、例えば、硫酸、塩酸、硝酸等の無機酸、水酸化リチウム、水酸化ナトリウム、水酸化カリウム、アンモニア等の無機塩基、トリエタノールアミン、ジエタノールアミン、モノエタノールアミン、トリプロパノールアミン等の有機塩基、アジピン酸、クエン酸、コハク酸等の有機酸等が挙げられる。ｐＨ調整剤は、１種単独で用いてもよいし、２種以上混合して用いてもよい。
【０１２０】
１．７．その他の成分
本実施形態に係るインクジェットインク組成物は、その保存安定性及びヘッドからの吐出安定性を良好に維持するため、目詰まり改善のため、又はインクの劣化を防止するため、溶解助剤、粘度調整剤、ｐＨ調整剤、酸化防止剤、防腐剤、防黴剤、腐食防止剤、及び分散に影響を与える金属イオンを捕獲するためのキレート化剤等の、種々の添加剤を適宜
添加することもできる。
【０１２１】
１．８．インクジェットインク組成物の調製方法
本実施形態に係るインクジェットインク組成物は、前述した成分を任意の順序で混合し、必要に応じて濾過等をして不純物を除去することにより得られる。各成分の混合方法としては、メカニカルスターラー、マグネチックスターラー等の撹拌装置を備えた容器に順次材料を添加して撹拌混合する方法が好適に用いられる。濾過方法としては、遠心濾過、フィルター濾過等を必要に応じて行なうことができる。
【０１２２】
１．９．インクジェットインク組成物の物性
本実施形態に係るインクジェットインク組成物は、記録品質とインクジェット用インクとしての信頼性とのバランスの観点から、２０℃における表面張力が２０ｍＮ／ｍ以上５０ｍＮ／ｍであることが好ましく、２５ｍＮ／ｍ以上４０ｍＮ／ｍ以下であることがより好ましい。なお、表面張力の測定は、自動表面張力計ＣＢＶＰ−Ｚ（商品名、協和界面科学社製）を用いて、２０℃の環境下で白金プレートをインクで濡らしたときの表面張力を確認することにより測定することができる。
【０１２３】
また、同様の観点から、本実施形態に係るインクジェットインク組成物の２０℃における粘度は、１ｍＰａ・ｓ以上８ｍＰａ・ｓ以下であることが好ましく、２ｍＰａ・ｓ以上６ｍＰａ・ｓ以下であることがより好ましい。なお、粘度は、振動式粘度計ＶＭ−１００ＡＬ（商品名、山一電機株式会社製）を用いて測定できる。
【０１２４】
１．１０．用途
本実施形態に係るインクジェットインク組成物は、公知のインクジェット記録装置のインクカートリッジに収容し、インクの液滴を吐出させ、紙等の記録媒体に該液滴を付着させて画像を記録することができる。インクジェット記録装置としては、電気信号に基づいて振動可能な電歪素子が搭載されるとともに、前記電歪素子の振動によってインクを吐出することができるように構成されたインクジェット記録装置が好ましい。記録媒体としては、特に限定されないが、例えば、紙、厚紙、繊維製品、皮革、シートまたはフィルム、プラスチック、ガラス、セラミックス、金属等が挙げられる。
【０１２５】
一般的に、インクセットにライトインクを加えることによって、画像の粒状性を向上させることが知られているが、特にライトインクが使用された淡色領域は記録密度が低く、淡色領域での退色が高密度記録領域である中間色領域より速い傾向にある。このため、従来のライトインクを含むインクセットのうち、特にライトマゼンタインクを含むインクセットでは、環境放置におけるオゾン等のガスによりグレーバランスが崩れやすく、退色バランスが低くなるという新たな課題を発見した。
【０１２６】
本実施形態に係るインクジェットインク組成物は、染料として第１の染料と第２の染料とを用いることにより、第１の染料と第２の染料との相補的な作用よって、従来の低濃度から退色する染料インクと比較して、耐ガス性寿命が高いライトマゼンタインクが得られる。これにより、ライトマゼンタインクを用いた記録密度が低い淡色領域での退色が抑制され、本実施形態に係るインクジェットインク組成物をマゼンタインクと共に用いた記録においては、全領域における退色の速度が同じ速度となり、ライトマゼンタインクが使用された淡色領域と他のインクを用いて記録した領域との退色バランスを改善することができる。さらには、発色性および粒状性に優れるものとなる。
【０１２７】
２．インクセット
本実施形態に係るインクジェットインク組成物は、ライトマゼンタインクとマゼンタインクを含むインクセットとして用いることができる。この場合、染料の含有量が質量基準
で多い方のインク組成物を濃インク組成物であるマゼンタインクとし、濃インク組成物よりも染料の含有量が質量基準で少ないインク組成物を淡インク組成物であるライトマゼンタインクとする。
【０１２８】
また、本実施形態に係るインクセットにおいて、ライトマゼンタインクとマゼンタインクは互いに同色系インクである。「同色系」とは、「実質的に同一の色相角を有する」ことを意味し、淡インク組成物と濃インク組成物によって白色の記録媒体上に記録された各々の記録画像の色相角∠Ｈ°の差が３０°以内であることを意味する。ここで、色相角∠Ｈ°は、ＣＩＥＬＡＢ色空間において定義され、∠Ｈ°＝ｔａｎ−１（ｂ＊／ａ＊）＋１８０（ａ＊＜０の場合）、又は∠Ｈ°＝ｔａｎ−１（ｂ＊／ａ＊）＋３６０（ａ＊＞０の場合）により求められる。
【０１２９】
ここで、ａ＊及びｂ＊は、ＣＩＥＬＡＢ色空間において定義される知覚色度指数を表す。したがって、同一の染料のみをそれぞれ含むライトマゼンタインクとマゼンタインクは、互いに同色系インクとみなすことができる。
【０１３０】
本実施形態に係るインクセットは、ライトマゼンタインクとマゼンタインクの他に、シアンインクやイエローインクとのインクセットとして好適に用いることができ、さらに、これら以外のインクを有してもよい。
【０１３１】
本実施形態に係るインクセットは、上記本実施形態に係るインクジェットインク組成物と同様に、公知のインクジェット記録装置のインクカートリッジに収容し、インクの液滴を吐出させ、紙等の記録媒体に該液滴を付着させて画像を記録することができる。インクジェット記録装置としては、電気信号に基づいて振動可能な電歪素子が搭載されるとともに、前記電歪素子の振動によってインクを吐出することができるように構成されたインクジェット記録装置が好ましい。記録媒体としては、特に限定されないが、例えば、紙、厚紙、繊維製品、皮革、シートまたはフィルム、プラスチック、ガラス、セラミックス、金属等が挙げられる。
【０１３２】
本実施形態に係るインクセットでは、ライトマゼンタインクとして、上記本実施形態に係るインクジェットインク組成物を含み、このインクセットを用いて記録することにより、ライトマゼンタインクを用いた記録密度が低い淡色領域での退色が抑制され、全領域における退色の速度が同じ速度となる。これにより、本実施形態に係るインクセットでは、ライトインクが使用された淡色領域と他のインクを用いて記録した領域との退色バランスが改善される。
【０１３３】
３．実施例
以下、本発明を実施例および比較例によってさらに具体的に説明するが、本発明はこれらの実施例に限定されるものではない。
【０１３４】
３．１．インク組成物の調製
表１に示す配合量で各成分を混合攪拌し、孔径１０μｍのメンブレンフィルターで加圧濾過を行って、各インク組成物を得た。なお、表１中の数値は、インク中での含有量（質量％）を表し、水はインク組成物の全質量が１００質量％となるように添加した。
【０１３５】
【表１】
2019163405.tif 000025
【０１３６】
表１で使用した成分のうち、サーフィノール１０４ＰＧ５０は、エアープロダクツジャパン株式会社製の、アルキレンオキサイド付加物がない主鎖の炭素数が１０であるアセチレングリコール系界面活性剤である。
【０１３７】
また、表１で使用した成分のうち、染料は以下の通りである。
・マゼンタ染料１：上記の例示化合物（１−２０）
・マゼンタ染料２：上記の例示化合物（４）
・マゼンタ染料３：下記の例示化合物（Ｍ−３）
【化２４】
2019163405.tif 000026
【０１３８】
なお、例示化合物（１−２０）は、特開２０１６−４１８０１号公報の段落番号０１３
６−０１５５記載の方法を参考にして、次のようにして合成した。
【０１３９】
＜例示化合物（１−２０）の合成＞
【化２５】
2019163405.tif 000027
【０１４０】
＜中間体（Ｂ）の合成＞
中間体（Ａ）２３．０ｇ（特開２０１１−１４８９７３号公報の第１７頁の段落番号００６５記載の方法で合成）を、１０％発煙硫酸４２０ｇに添加して、室温にて４８時間反応させた。反応液を大過剰の酢酸エチルに注ぎ入れ、析出した結晶をろ別した。ろ別した結晶を５００ｍＬのメタノールに溶解させ、２８％ナトリウムメトキシドメタノール溶液を用いてｐＨ７に調整し、析出した硫酸ナトリウムをろ過により取り除いた。ろ液をロータリーエバポレーターを用いて濃縮し、得られた残渣をカラムクロマトグラフィ（充填剤：セファデックスＬＨ−２０（商品名、ファルマシア製）、展開溶媒：メタノール）で精製し、中間体（Ｂ）の結晶を得た。収量２１．０ｇ、収率６８％、ＭＳ（ｍ／ｚ）＝７９３（［Ｍ−２Ｎａ＋Ｈ］−、１００％）。
【０１４１】
【化２６】
2019163405.tif 000028
【０１４２】
得られた中間体（Ｂ）４ｇを、メタンスルホニルクロリド２．０ｇを加えた後に、ピリジン８ｍＬをゆっくりと滴下し、室温で３時間反応させた。反応液を大過剰の酢酸エチルに加え、析出した結晶をろ別した。得られた結晶を水５０ｍＬに溶解させ、希水酸化ナトリウム水溶液でｐＨ７に調整し、得られた水溶液をカラムクロマトグラフィ（充填剤：セファデックスＬＨ−２０、展開溶媒：水／メタノール）で精製し、例示化合物（１−２０）の緑色光沢結晶を得た。収量３．０ｇ、収率６３％。ＭＳ（ｍ／ｚ）＝９９３（［Ｍ−１］−、１００％）。例示化合物（１−２０）の希薄水溶液中での吸収スペクトルの極大吸収波長は５３３ｎｍ、モル吸光係数は５４０００であった。
【０１４３】
なお、例示化合物（４）および（Ｍ−３）は、特開２０１６−２９１４９号公報記載の方法を参考にして合成した。
【０１４４】
３．２．インク組成物についての評価試験
３．２．１．発色性の評価（ＡＢＳの測定）
各インクを超純水で１０００倍希釈し、紫外可視分光光度計を用い、下記条件で紫外可視吸収スペクトルの最大ピークの最大吸光度を測定した。なお、紫外可視分光光度計で測定して得られた紫外可視吸収スペクトルにおいて「最大ピーク」とは、測定した波長域において１つのピーク（極大値）のみを有する場合にはそのピークを意味し、複数のピークを有する場合には、複数のピークの中でピーク頂点の吸光度（ＡＢＳ）が最も高いピークを意味する。
【０１４５】
装置：紫外可視分光光度計  Ｖ−７７０  ｓｅｒｉｅｓ（日本分光株式会社製）
パラメーターファイル
測光モード：ＡＢＳ
測定範囲：８００−３００ｎｍ
データ取込間隔：０．５ｎｍ
ＵＶ／Ｖｉｓバンド幅：２．０ｎｍ
ＮＩＲバンド幅：８．０ｎｍ
ＵＶ／Ｖｉｓレスポンス：０．０６ｓｅｃ
ＮＩＲレスポンス：０．０６ｓｅｃ
走査速度：４００ｎｍ／ｍｉｎ
光源切換：３４０ｎｍ
回折格子切換：８５０ｎｍ
光源：Ｄ２／ＷＩ
フィルター切換：ステップ
補正：ベースライン
【０１４６】
３．２．２．耐オゾン性の評価（ＲＯＤ値の測定）
下記の評価機のインク収容容器にインクを充填後、以下の条件で各インクをベタ印刷した領域のＯＤ（Ｏｐｔｉｃａｌ  Ｄｅｎｓｉｔｙ）値の初期値からの変化を測定し、以下の評価基準で耐オゾン性を評価した。なお、濃色判断は１６階調中１６階調目、淡色判断は１６階調中１階調目のＯＤ変化を、初期からの相対光学濃度ＲＯＤ（Ｒｅｌａｔｉｖｅ
Ｏｐｔｉｃａｌ  Ｄｅｎｓｉｔｙ）で判断した。
（試験条件）
評価機：商品名「ＥＰ―８０８ＡＷ」、セイコーエプソン株式会社製
記録媒体：セイコーエプソン株式会社製、写真用紙＜光沢＞、色補正なし
印刷解像度：１４４０ｄｐｉ×７２０ｄｐｉ
曝露条件：２３℃、相対湿度５０％、オゾン濃度５ｐｐｍ
測定条件：測色器Ｘ−Ｒｉｔｅ  ｉ１（商品名、Ｘ−Ｒｉｔｅ社）、
光源フィルター無し、光源：Ｄ５０、視野角２度
サンプルパッチ：各色１６階調を印字、
（評価基準）
Ａ：ＲＯＤが曝露時間４０時間経過時までに７０％まで減少しない。
Ｂ：ＲＯＤが７０％まで減少するのが２４時間を超え、４０時間以下である。
Ｃ：ＲＯＤが７０％まで減少するのが２４時間未満である。
【０１４７】
３．３．インク組成物についての評価結果
マゼンタ染料１とマゼンタ染料２の両方を含む実施例では、いずれも濃色および淡色の耐オゾン性の評価がＡまたはＢであり、耐オゾン性に優れていた。特に、マゼンタ染料１の含有量が高い方が濃色の耐オゾン性に優れる結果となり、マゼンタ染料１とマゼンタ染料２の含有量が共に０．６０％であった実施例１では、濃色および淡色の耐オゾン性の評価が共にＡであった。
【０１４８】
これに対し、マゼンタ染料１のみを含む比較例１では、淡色の耐オゾン性の評価がＣで
あった。一方、マゼンタ染料２のみを含む比較例２では、濃色の耐オゾン性の評価がＣであった。実施例５に示すように、比較例１に含有量が０．１％となるようにマゼンタ染料２を添加すると、淡色の耐オゾン性の評価がＢに向上した。また、実施例４に示すように、比較例２に含有量が０．１％となるようにマゼンタ染料１を添加すると、濃色の耐オゾン性の評価がＢに向上した。このように、マゼンタ染料１とマゼンタ染料２の両染料を含むことにより、濃色および淡色の耐オゾン性の評価が向上し、オゾンガスに曝露されるような環境放置における退色バランスが改善された。
【０１４９】
なお、マゼンタ染料３のみを単独で含む比較例３は、濃色および淡色の耐オゾン性の評価がＣであった。マゼンタ染料２とマゼンタ染料３を含む比較例４では、比較例２と評価が逆転した。また、マゼンタ染料１とマゼンタ染料３を含む比較例５では、比較例１と評価が変わらなかった。このように、マゼンタ染料１やマゼンタ染料２にマゼンタ染料３を組み合わせても、退色バランスが改善されなかった。
【０１５０】
本発明は、前述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。